(57)【特許請求の範囲】
【請求項１】
筐体カバーに呼び込み溝とカード溝とを備え、前記カード溝に読取りヘッドを備え、カードを上方から挿入し水平方向にスライドして当該カードに記録されたデータを読み取るカード読取部を備えた現金処理装置であって、
前記カード読取部は、前記呼び込み溝または前記カード溝に落下した異物を前記カードの操作により除去できる異物除去構造を備え、該異物除去構造は、前記カード溝の終端上部に凹み形状を設けたことを特徴とする現金処理装置。
【請求項２】
筐体カバーに呼び込み溝とカード溝とを備え、該カード溝に読取りヘッドを備え、カードを上方から挿入し水平方向にスライドして当該カードに記録されたデータを読み取るカード読取部を備えた現金処理装置であって、
前記カード読取部は、前記呼び込み溝若しくは前記カード溝または両方の底部を前記カード溝の終端側ほど低くし、該呼び込み溝または前記カード溝に落下した異物を前記カードの操作により除去できる異物除去構造を備えたことを特徴とする現金処理装置。
【発明の詳細な説明】
【技術分野】
【０００１】
本発明は、カードを上方から挿入し水平方向にスライドするカード読取部を備えた現金処理装置において前記カード読取部の溝に落下した硬貨等の異物を容易に除去できる構造に関するものである。
【背景技術】
【０００２】
一般に、現金処理装置では、操作者の操作を制限してセキュリティを確保するために、オペレータ、保守員、警送員等（以下、「オペレータ等」という）が操作者の種類を記録したカードを持ち、当該カードの磁気ストライプを読み取って、操作者の種類に応じた操作モードに切り替えて、入金操作、回収操作、メンテナンスなどを行うようになっている。
【０００３】
そして、カードを水平方向に挿入するカード読取部を備えた現金処理装置において、カード挿入部にコイン等の異物が入り込むことを防止するために、カード通路の下面に、コインよりも幅広で挿入口に向かって低くなった傾斜面を設け、挿入口に差し込まれたコインを当該傾斜面に落下させて、カード通路の外に滑って自然排出する技術はあった（例えば、特許文献１参照）。
【０００４】
しかしながら、近年、カード操作を容易にするためにカード読取部を水平に置き、カードを上から挿入し水平にスライドするカード読取部が主流となりつつある。このようなカード読取部を備えた従来の現金処理装置は、図６（ａ）の外観斜視図および図６（ｂ）の上面図に示したように、硬貨２０を投入するための硬貨投入口２２と、紙幣を投入するための紙幣投入口２と、装置を覆う筐体カバー３と、筐体カバー３に実装した操作部４と、前述のカード読取部５と、投入された硬貨や紙幣等を格納する金庫部６と、鑑別できなかった紙幣を排出する紙幣リジェクト部７と、オペレータ等が投入しようとする硬貨２０を置いておく硬貨置場１８と、入金記録を印字した用紙を排出するレシート口９と、を備える。
【０００５】
そして、従来のカード読取部５は、図７に示したように、筐体カバー３にカード挿入の呼び込み形状を有する呼び込み溝８と、カードを案内するカード溝１１と、矢印Ｒ方向にスライドされるカードの磁気ストライプに記録されたデータを読み取るための磁気ヘッド９と、を備える。
【先行技術文献】
【特許文献】
【０００６】
【特許文献１】実開平７−６８６９号公報
【発明の概要】
【発明が解決しようとする課題】
【０００７】
しかしながら、上記従来の現金処理装置１、特にカードを上方から挿入するカード読取部５を備えた現金処理装置１では、図７（ａ）のカード読取部５の上面図、図７（ｂ）のＡ−Ａ断面図に示したように、硬貨置場１８に硬貨２０を置くときなどに呼び込み溝８やカード溝１１に誤って硬貨２０ａ、２０ｂなどの異物を落下させた場合、容易に取り出せないという問題があった。
【課題を解決するための手段】
【０００８】
本発明は、前述の課題を解決するために次の構成を採用する。すなわち、筐体カバーに呼び込み溝とカード溝とを備え、前記カード溝に読み取りヘッドを備え、カードを上方から挿入し水平方向にスライドしてカードに記録されたデータを読み取るカード読取部を備えた現金処理装置であって、前記カード読取部は、前記呼び込み溝または前記カード溝に落下した異物を前記カード操作により除去できる異物除去構造を備えた。
【発明の効果】
【０００９】
本発明の現金処理装置によれば、以上のように構成したので、呼び込み溝やカード溝に誤って落下した硬貨等を通常のカード操作により容易に除去することができ、或いは、さらに、壁面に現金処理装置の右側を密着して設置した場合においても、落下した硬貨等を容易に除去することができる。
【図面の簡単な説明】
【００１０】
【図１】実施例１の現金処理装置のカード読取部の構成図である。
【図２】実施例２の現金処理装置のカード読取部の構成図である。
【図３】実施例３の現金処理装置のカード読取部の構成図である。
【図４】実施例４の現金処理装置のカード読取部の構成図である。
【図５】その他の変形例の現金処理装置のカード読取部の構成図である。
【図６】従来の現金処理装置の構成図である。
【図７】従来の現金処理装置のカード読取部の構成図である。
【発明を実施するための形態】
【００１１】
以下、本発明に係わる実施の形態例を、図面を用いて説明する。図面に共通する要素には同一の符号を付す。なお、以下の説明では、硬貨等の現金を取り扱う現金処理金装置を例として説明するが、コインなどを取り扱うコイン処理装置などであってもよい。また、カードとして磁気ストライプを備えた磁気カードを例として説明するが、所定のデータが記録されたカードであればその他のカードであってもよい。
【実施例１】
【００１２】
（構成）
実施例１の現金処理装置１の構成は、カード読取部５の構成のほかは図６を用いて説明した従来の現金処理装置１の構成と同様であるので、同様の構成については簡略化のためにその詳細な説明は省略する。
【００１３】
図１（ａ）は実施例１の現金処理装置１のカード読取部５の外観斜視図であり、図１（ｂ）はその上面図、図１（ｃ）はそのＡ−Ａ断面図である。同図に示したように、実施例１のカード読取部５は、筐体カバー３上面にカード１５を挿入するときの呼び込み形状としての呼び込み溝８と、カード１５のスライドを案内するカード溝１１と、カード１５の磁気ストライプを読み取るための読み取りヘッドとしての磁気ヘッド９と、を備える。
【００１４】
そして、実施例１のカード読取部５のカード溝１１は、異物除去構造として、カード溝１１の終端側（図１右端）の筐体カバー３を貫通させた溝形状となっている。
【００１５】
（動作）
以上の構成により実施例１の現金処理装置１は、以下のように動作する。最初に、前述の図６の現金処理装置１の構成図を用いて硬貨２０を入金する動作を説明する。
【００１６】
まず、オペレータ等がそれぞれ所持するカードをカード読取部５に通すと、カードに記録された磁気データをカード読取部５にて読み取り、操作者がオペレータ、保守員、警送員のいずれであるかを判定し、当該判定結果に応じて操作モードを切り替え、紙幣や硬貨の入金操作や、金庫部６から現金の回収操作、メンテナンス操作などを行う。
【００１７】
そして、現金処理装置１に硬貨２０を入金するときは、一度に硬貨投入口２２に入る投入枚数には制限があるため、一旦、硬貨２０を硬貨置場１８に置く。
【００１８】
そして、硬貨置場１８に置いた硬貨２０を硬貨投入口２２が一杯になるまで投入し、投入された硬貨２０の鑑別が行われ、鑑別された硬貨２０が金庫部６に搬送されると、硬貨置場１８に残っている硬貨２０を硬貨投入口２２が一杯になるまで投入し、この作業を繰り返し行う。
【００１９】
このとき、硬貨２０を呼び込み溝８やカード溝１１に誤って落下させてしまう場合がある。実施例１のカード読取部５ではカード溝１１の終端側の筐体カバー３が貫通した溝形状となっているので、カード１５を挿入して読取方向である矢印Ｒ方向にスライドすると、図１（ｃ）に示したように、硬貨２０が、カード溝１１をカード１５に押されて進み、さらにカード１５を矢印Ｒ方向にスライドするとカード溝１１終端の筐体カバー３の貫通部を通り抜け、筐体カバー３から矢印Ｂのように装置外へ排出される。
【００２０】
（実施例１の効果）
以上のように、実施例１の現金処理装置によれば、カード溝を、カード溝の終端側の筐体カバーを貫通させた溝形状としたので、呼び込み溝やカード溝に誤って落下した硬貨等の異物を通常のカード操作により容易に除去することができる。
【実施例２】
【００２１】
（構成）
実施例２の現金処理装置１の構成も、カード読取部５の構成のほかは図６を用いて説明した従来の現金処理装置１の構成と同様であるので、同様の構成については簡略化のためにその詳細な説明は省略する。
【００２２】
図２（ａ）は実施例２の現金処理装置１のカード読取部５の構成を示す上面図であり、図２（ｂ）はそのＡ−Ａ断面図である。同図に示したように、実施例２のカード読取部５は、異物除去構造として、カード溝１１の終端を傾斜面形状１２としている。この傾斜角はカード溝１１のスペースをできるだけ小さくかつ異物を確実に押し上げるために６０度〜７０度程度とするのがよい。その他の構成は、実施例１の現金処理装置のカード読取部５の構成と同様であるので簡略化のためにその詳細な説明は省略する。
【００２３】
（動作）
以上の構成により実施例２の現金処理装置１は、以下のように動作する。なお硬貨２０を入金する動作については実施例１の現金処理装置１の動作と同様であるので簡略化のためにその詳細な説明は省略する。
【００２４】
呼び込み溝８やカード溝１１に誤って落下した硬貨２０は、その後、挿入したカード１５を読取方向である矢印Ｒ方向にスライドさせることによりカード１５によって押されてカード溝１１を進み、さらにカード１５をスライドすると、カード溝１１の終端を矢印Ｃのように傾斜面形状１２を上り、筐体カバー３の上面から装置外へ排出される。
【００２５】
（実施例２の効果）
以上のように、実施例２の現金処理装置によれば、カード溝の終端を傾斜面形状としたので、カード読取部の筐体強度を維持しながら、実施例１の効果と同様、呼び込み溝やカード溝に誤って落下した硬貨等の異物をカード操作により容易に除去することができ、壁面等にカード溝の終端側を密着して現金処理装置を設置した場合においても、落下した硬貨等の異物を容易に除去することができる。
【実施例３】
【００２６】
（構成）
実施例３の現金処理装置１の構成も、カード読取部５の構成のほかは図６を用いて説明した従来の現金処理装置１の構成と同様であるので、同様の構成については簡略化のためにその詳細な説明は省略する。
【００２７】
図３（ａ）は実施例３の現金処理装置１のカード読取部５の構成を示す外観斜視図であり、図３（ｂ）はその上面図である。同図に示したように、実施例３のカード読取部５は、異物除去構造として、カード溝１１の終端側の筐体カバー３を貫通させた溝形状とするとともに、その終端の上部に凹み形状３２を設けている。その他の構成は、実施例１の現金処理装置のカード読取部５の構成と同様であるので簡略化のためにその詳細な説明は省略する。
【００２８】
（動作）
以上の構成により実施例３の現金処理装置１は、以下のように動作する。なお硬貨２０を入金する動作については実施例１の現金処理装置１の動作と同様であるので簡略化のためにその詳細な説明は省略する。
【００２９】
呼び込み溝８やカード溝１１に誤って落下した硬貨２０は、その後、挿入したカード１５を読取方向である矢印Ｒ方向にスライドさせることによりカード１５によって押されてカード溝１１を進み、さらにカード１５をスライドすると、カード１５はカード溝１１終端の凹み形状部３２を通り抜け、筐体カバー３から装置外へ排出される。
【００３０】
また、現金処理装置１の右側、すなわちカード溝１１の終端側を壁面に密着して設置した場合では、カード１５に押された硬貨２０が壁にぶつかり、図３（ａ）のようにカード溝１１から飛び出した状態で止まるが、凹み形状部３２が設けられているので、容易に硬貨２０を除去することができる。
【００３１】
（実施例３の効果）
以上のように、実施例３の現金処理装置によれば、カード溝の終端側の筐体カバーを貫通させた溝形状とし、カード溝の終端上部に凹み形状を設けるようにしたので、実施例１の効果と同様、呼び込み溝やカード溝に誤って落下した硬貨等の異物をカード操作により容易に除去でき、また、壁面等にカード溝の終端側を密着させて現金処理装置を設置した場合においても、落下した硬貨等の異物を容易に除去することができる。
【実施例４】
【００３２】
（構成）
実施例４の現金処理装置１の構成も、カード読取部５の構成のほかは図６を用いて説明した従来の現金処理装置１の構成と同様であるので、同様の構成については簡略化のためにその詳細な説明は省略する。
【００３３】
図４は実施例４の現金処理装置１のカード読取部５の構成を示す上面図である。同図に示したように、実施例４のカード読取部５では、異物除去構造として、頻繁に硬貨２０等が落下する呼び込み溝８の溝幅を指が入れられる程度に広げた構成となっている。その他の構成は、実施例１の現金処理装置のカード読取部５の構成と同様であるので簡略化のためにその詳細な説明は省略する。
【００３４】
（動作）
以上の構成により実施例４の現金処理装置１は、以下のように動作する。なお硬貨２０を入金する動作については実施例１の現金処理装置１の動作と同様であるので簡略化のためにその詳細な説明は省略する。
【００３５】
実施例４の現金処理装置では、呼び込み溝８の溝幅を指が入れられる程度に広げた構成となっているので、呼び込み溝８に誤って落下した硬貨２０を見つけることも容易となり、呼び込み溝８に指を入れて容易に除去することができる。
【００３６】
なお、以上の実施例の説明では、実施例１の構成にて呼び込み溝８の溝幅を広げる例を説明したが、実施例２や実施例３の構成にて呼び込み溝８の溝幅を広げるようにしてもよい。このようにすれば、壁面等にカード溝１１の終端側を密着して現金処理装置１を設置した場合においても、呼び込み溝８に落下した硬貨等の異物を容易に除去できることはもとより、カード溝１１に落下した硬貨２０も容易に除去することができる。
【００３７】
（実施例４の効果）
以上のように、実施例４の現金処理装置によれば、呼び込み溝の溝幅を指が入れられる程度に広げた構成としたので、実施例１の効果に加え、呼び込み溝やカード溝に落下した硬貨等の異物を容易に見つけやすくなるとともに、容易に除去することができる。
【００３８】
《その他の変形例》
なお、以上の実施例の説明では、呼び込み溝８やカード溝１１の底部の形状については説明しなかったが、水平としてもよいし、図５に示したように、呼び込み溝８やカード溝１１のいずれかまたは両方の底部８ａ、１１ａをカード溝１１の終端側ほど低くするようにすれば、自然排出の効果をも奏することができる。
【００３９】
或いは、逆に、呼び込み溝８やカード溝１１のいずれかまたは両方の底部８ａ、１１ａをカード溝１１の終端側ほど高くし、呼び込み溝８の溝幅を指が入れられる程度に広げた構成とし、底部の傾斜により呼び込み溝８に集まった硬貨２０等の異物を指で取り除けるようにしてもよい。なお、この傾斜角はカード１５の操作性も考慮すると１度〜３度程度とするのがよい。
【産業上の利用可能性】
【００４０】
以上述べたように、本発明は、カード操作により本人確認を行い硬貨等の現金を扱う現金処理装置に広く用いることができる。
【符号の説明】
【００４１】
１    現金処理装置
３    筐体カバー
４    操作部
５    カード読取部
８    呼び込み溝
９    磁気ヘッド
１１  カード溝
１２  傾斜面形状
１５  カード
１５ｍ  磁気ストライプ
１８  硬貨置場
２０  硬貨
２２  硬貨投入口
３２  凹み形状
【図１】
0005648464.tif 000002
【図２】
0005648464.tif 000003
【図３】
0005648464.tif 000004
【図４】
0005648464.tif 000005
【図５】
0005648464.tif 000006
【図６】
0005648464.tif 000007
【図７】
0005648464.tif 000008